(57)【要約】【課題】段ボールの端縁部において、手切れ防止効果が確実に得られるようにする。【解決手段】一対の側板２に内フラップ４を、他対の側板１に外フラップ５をそれぞれ連設し、内フラップ４と外フラップ５とを貼り合わせて端面を閉止する段ボールカートンにおいて、前記外フラップ５の端縁部に複数条の押罫線１０を入れて、波状押潰部９を形成する。押罫線１０の部分で段ボールシートの中しんが集中的に潰れ、ライナが強く引き伸ばされるので、押潰部９の復元が防止され、カートンの開封に際し、外フラップ５の端縁に手を掛けたとき、手の当たりが柔らかくなり、手が切れにくくなる効果が持続する。【選択図】図１
2008044664.tif 000002
【特許請求の範囲】
【請求項１】
段ボールの端縁部に複数条の押罫線(10)を入れて、波状押潰部(9)を形成した段ボールの端縁部の手切れ防止構造。
【請求項２】
前記波状押潰部(9)の押罫線(10)を段ボールの端縁と直交する方向に入れたことを特徴とする請求項１に記載の段ボールの端縁部の手切れ防止構造。
【請求項３】
前記波状押潰部(9)の押罫線(10)を格子状に入れたことを特徴とする請求項２に記載の段ボールの端縁部の手切れ防止構造。
【請求項４】
一対の側板(2)に内フラップ(4)を、他対の側板(1)に外フラップ(5)をそれぞれ連設し、内フラップ(4)と外フラップ(5)とを貼り合わせて端面を閉止する段ボールカートンにおいて、少なくとも外フラップ(5)の端縁部に複数条の押罫線(10)を入れて、波状押潰部(9)を形成したことを特徴とする段ボールカートン。
【請求項５】
請求項４に記載の段ボールカートンにおいて、全ての端縁部に複数条の押罫線(10)を入れて、波状押潰部(9)を形成したことを特徴とする段ボールカートン。
【請求項６】
請求項４又は５に記載の段ボールカートンを製造するため、輪郭を打ち抜く切刃(11)の近傍に、複数枚の押圧片(12)を並べて設けた段ボールカートンの抜型。
【発明の詳細な説明】
【技術分野】
【０００１】
この発明は、段ボールの端縁部における手切れを防止する構造、その構造を適用したカートン及びブランクを打ち抜く抜型に関するものである。
【背景技術】
【０００２】
例えば、ビール缶を包装する際には、図８に示すように、各一対の側板１，２を継代片３を介して連設し、集積したパック入りの缶Ｃを包み込んで、一対の側板２から延びる内フラップ４と、他対の側板１から延びる外フラップ５とを順次内側へ折り曲げ、ホットメルト接着剤により接着部ａで貼り合わせて封緘するラップラウンド式の段ボール製カートンが使用されている。
【０００３】
このようなカートンには、横置きにした状態でトレー状に分割して開封できるように、側板２から内フラップ４へかけて、カットテープ等の引裂帯６が設けられ、その切出部７が側板２の中央部に切込により形成されている。
【０００４】
ところで、上記のようなカートンを家庭で開封する際には、缶Ｃを必要な分だけ取り出して、残存した分を嵩張ることなく保管しておくため、縦置きにした状態で、上方となった端面から開封する場合が多く、その際、外フラップ５を内フラップ４から引き剥がそうとして、外フラップ５の端縁に手を掛けると、段ボールの鋭い切断縁に手が当たって、稀にではあるが、手が切れることがある。
【０００５】
このため、下記特許文献１においては、外フラップにその端縁に臨む押潰部を形成し、外フラップの端縁に傾斜をつけて、開封時における手の当たりを柔らかくすることを意図した段ボールカートンが提案されている。
【０００６】
【特許文献１】特開２００２−３７０７２８号公報
【発明の開示】
【発明が解決しようとする課題】
【０００７】
しかしながら、上記のように、外フラップの端縁部を全体的に押圧すると、押潰部が時間の経過に伴い復元してしまい、飲料の購入者がカートンを開封する際には、手の当たりを柔らかくする効果が十分に得られなくなる場合がある。
【０００８】
そこで、この発明は、段ボールの端縁部において、手が切れにくくする効果が確実に得られるようにすることを課題とする。
【課題を解決するための手段】
【０００９】
上記課題を解決するため、この発明は、段ボールの端縁部に複数条の押罫線を入れて、波状押潰部を形成し、また、波状押潰部の押罫線を段ボールの端縁と直交する方向又は格子状に入れて、段ボールを塑性変形させたのである。
【００１０】
そして、一対の側板に内フラップを、他対の側板に外フラップをそれぞれ連設し、内フラップと外フラップとを貼り合わせて端面を閉止する段ボールカートンにおいて、外フラップの端縁部等にこの構造を採用したのである。
【００１１】
また、上記段ボールカートンを製造するため、その抜型において、輪郭を打ち抜く切刃の近傍に、複数枚の押圧片を並べて設けたのである。
【発明の効果】
【００１２】
このように、段ボールの端縁部に複数条の押罫線を入れて波状押潰部を形成すると、押罫線の部分で段ボールの中しんが集中的に潰れ、ライナが強く引き伸ばされるので、押潰部が復元しにくくなり、波状押潰部により段ボールの端縁部が厚さ方向に波型に形成された状態が保持されることから、段ボールの端縁に手を掛けたとき、端縁が直線状に手に当たって刃物効果が生じることが防止されると共に、手の当たりが柔らかくなり、手が切れにくくなる効果が持続する。
【発明を実施するための最良の形態】
【００１３】
以下、この発明の実施形態を添付図面に基づいて説明する。
【００１４】
図１に示す段ボールカートンは、図８に示すものと同様に、各一対の側板１，２を継代片３を介して連設し、集積したパック入りの缶Ｃを包み込んで、一対の側板２から延びる内フラップ４と、他対の側板１から延びる外フラップ５とを順次内側へ折り曲げ、ホットメルト接着剤により接着部ａで貼り合わせて封緘するラップラウンド式のものである。
【００１５】
このカートンにおいては、側板２から内フラップ４へかけて、横置き状態での開封用にカットテープ等の引裂帯６が設けられ、その切出部７が側板２の中央部に切込により形成されている。また、継代片３に重なる側板１には、切断縁から対角へかけて、端面からの開封時に開口部を拡大する斜折線８が入れられている。
【００１６】
そして、外フラップ５の端縁部には、波状押潰部９が複数条の押罫線１０を入れて形成されている。押罫線１０は、外フラップ５の中間部分では、縦横方向に並行して交差する格子状に入れられ、外フラップ５の両肩部分では、端縁と直交する方向（縦方向）に並行して基端が繋がるように入れられている。
【００１７】
上記段ボールカートンのブランクを製造する抜型では、図２に示すように、外フラップの輪郭を打ち抜く切刃１１の近傍に、複数枚の押圧片１２が並べて設けられている。押圧片１２は、外フラップの先端中間部分では、縦横方向に並行して交差する格子状に配置され、両肩部分では、端縁と直交する方向（縦方向）に並行して基端が繋がるように配置されている。
【００１８】
この切刃１１及び押圧片１２は、図３に示すように、抜型１３に植え込まれ、抜型１３は打抜機の上盤１４に取り付けられる。また、切刃１１及び押圧片１２が挿入される溝１５，１６を有する面板１７が打抜機の下盤１８に取り付けられる。
【００１９】
そして、段ボールカートンのブランクを打ち抜く際には、段ボールシートＳを抜型１３と面板１７の間に送り込み、図４に示すように、上盤１４と下盤１８とを接近させて、段ボールシートＳを切刃１１で外フラップ５の輪郭に沿って打ち抜くと共に、押圧片１２で押圧して外フラップ５の端縁部に押罫線１０を入れる。これにより、外フラップ５の端縁部には、波状の押潰部９が形成される。
【００２０】
このように、外フラップ５の端縁部に複数条の押罫線１０を入れて波状押潰部９を形成すると、押罫線１０の部分で段ボールシートの中しんが集中的に潰れ、ライナが強く引き伸ばされるので、ブランクの打抜から時間が経過しても、押潰部９が復元しにくくなり、波状押潰部９により端縁部が厚さ方向に波型に形成された状態が保持され、図５に示すように、カートンの開封に際し、外フラップ５の端縁に手を掛けたとき、端縁が直線状に手に当たって刃物効果が生じることが防止されると共に、外フラップ５が湾曲して、手が切れにくくなる効果が持続する。
【００２１】
なお、上記実施形態では、側板２と内フラップ４の稜部や側板１，２の稜部が角張ったものを示したが、これらの稜部に面取りが施されたラップラウンド式の段ボールカートンにおいても、外フラップ５の端縁部に波状押潰部９を形成すると、開封時に手を保護する効果を得ることができる。
【００２２】
また、図６及び図７に示すように、外フラップ５の端縁部だけでなく、継代片３に重なる側板１の端縁部に上記のような波状押潰部９を形成すると、持運び時の手切れを防止することができ、内フラップ４の端縁部にも上記のような波状押潰部９を形成すると、縦置き状態で開封し、缶Ｃを取り出す場合に、内フラップ４の端縁での手切れを防止することができる。さらに、外フラップ５の端縁を波状縁としておくと、開封時の手切れ防止効果が向上する。
【００２３】
また、上記のように、段ボールの端縁部に波状押潰部９を形成する段ボールの手切れ防止構造は、ラップラウンド形式以外の段ボールカートンや段ボール製玩具等の構造物にも適用でき、その取扱時における安全性を向上させることができる。
【図面の簡単な説明】
【００２４】
【図１】第１実施形態に係る段ボールカートンの封緘状態を示す斜視図
【図２】同上の抜型の外フラップ部分の刃の配置を示す図
【図３】同上の抜型による打抜過程を示す概略断面図
【図４】同上の抜型による打抜状態を示す概略断面図
【図５】同上の外フラップの開封時の湾曲状態を示す断面図
【図６】第２実施形態に係る段ボールカートンの封緘状態を示す斜視図
【図７】同上の開封状態を示す斜視図
【図８】従来の段ボールカートンの開封状態を示す斜視図
【符号の説明】
【００２５】
１，２  側板
３  継代片
４  内フラップ
５  外フラップ
６  引裂帯
７  切出部
８  斜折線
９  押潰部
１０  押罫線
１１  切刃
１２  押圧片
１３  抜型
１４  上盤
１５，１６  溝
１７  面板
１８  下盤
【図１】
2008044664.tif 000003
【図２】
2008044664.tif 000004
【図３】
2008044664.tif 000005
【図４】
2008044664.tif 000006
【図５】
2008044664.tif 000007
【図６】
2008044664.tif 000008
【図７】
2008044664.tif 000009
【図８】
2008044664.tif 000010